(57)【要約】  本発明は、結合方向に沿ってマルチピンコネクタソケットと結合するマルチピンコネクタプラグ１０−１８及び結合方向に沿ってマルチピンコネクタプラグと結合するマルチピンコネクタソケット２０−２５、２７、２８に関する。本発明は、更に、センサ又はウェアラブルのような、ウェアラブル装置に関する。
2019515420.tif 000002
【特許請求の範囲】
【請求項１】
結合方向に沿ってマルチピンコネクタソケットと結合するマルチピンコネクタプラグにおいて、前記マルチピンコネクタプラグが、
キャリアプレートと、
結合装置からの信号の入力及び／又は前記結合装置に対する信号の出力のために前記キャリアプレートのインタフェース領域に配置されたプラグインタフェースであって、前記信号が１以上の電源信号を含む、前記プラグインタフェースと、
前記マルチピンコネクタソケットからの信号の入力及び／又は前記マルチピンコネクタソケットに対する信号の出力のために前記キャリアプレートの接続パッド領域に二次元に分散された形で配置された複数のプラグ接続パッドと、
を有し、
前記プラグ接続パッドが、前記マルチピンコネクタソケットの対応するソケット電源接続パッドからの前記１以上の電源信号の入力及び／又は前記対応するソケット電源接続パッドに対する前記１以上の電源信号の出力のために１以上のプラグ電源接続パッドを含み、
前記１以上のプラグ電源接続パッドが、前記キャリアプレートの前記接続パッド領域の前面、又は前記プラグ接続パッドの中で前記キャリアプレートの前記接続パッド領域の前記前面から最大距離、又は他の接続パッドが配置されない前記結合方向に平行な１以上の行のいずれかにおいて配置される、
マルチピンコネクタプラグ。  
【請求項２】
前記プラグ接続パッドが、短絡された少なくとも２つのプラグ接続パッドを含み、前記マルチピンコネクタプラグが前記マルチピンコネクタソケットと正確に結合される場合に前記マルチピンコネクタソケットの少なくとも２つの対応するソケット結合パッドを短絡するように構成され、前記少なくとも２つのプラグ結合パッドが前記少なくとも２つの対応するソケット結合パッドを短絡する場合にのみ、電流が、前記１以上のプラグ電源接続パッド及び前記ソケット電源接続パッドを流れることができる、
請求項１に記載のマルチピンコネクタプラグ。
【請求項３】
結合方向に沿ってマルチピンコネクタソケットと結合するマルチピンコネクタプラグにおいて、前記マルチピンコネクタプラグが、
キャリアプレートと、
結合装置からの信号の入力及び／又は前記結合装置に対する信号の出力のために前記キャリアプレートのインタフェース領域に配置されたプラグインタフェースであって、前記信号が１以上の電源信号を含む、前記プラグインタフェースと、
前記マルチピンコネクタソケットからの信号の入力及び／又は前記マルチピンコネクタソケットに対する信号の出力のために前記キャリアプレートの接続パッド領域において二次元に分散された形で配置された複数のプラグ接続パッドと、
を有し、
前記プラグ接続パッドが、前記マルチピンコネクタソケットの対応するソケット電源接続パッドからの前記１以上の電源信号の入力及び／又は前記対応するソケット電源接続パッドに対する前記１以上の電源信号の出力のために１以上のプラグ電源接続パッドを含み、
前記プラグ接続パッドが、短絡された少なくとも２つのプラグ結合パッドを含み、前記マルチピンコネクタプラグが前記マルチピンコネクタソケットと正確に結合される場合に前記マルチピンコネクタソケットの少なくとも２つの対応するソケット結合パッドを短絡するように構成され、前記少なくとも２つのプラグ結合パッドが前記少なくとも２つの対応するソケット結合パッドを短絡する場合にのみ、電流が、前記１以上のプラグ電源接続パッド及び前記ソケット電源接続パッドを流れることができる、
マルチピンコネクタプラグ。
【請求項４】
プラグ接続パッドが、前記キャリアプレートの反対の面に配置される、
請求項１又は３に記載のマルチピンコネクタプラグ。
【請求項５】
前記キャリアプレートが、可撓性材料、特に可撓性ホイルで作成される。
請求項１又は３に記載のマルチピンコネクタプラグ。
【請求項６】
前記キャリアプレートの一部は、前記プラグ接続パッドが前記キャリアプレートの反対の面に配置されるように１８０°折り返される、
請求項５に記載のマルチピンコネクタプラグ。
【請求項７】
前記マルチピンコネクタプラグが、前記マルチピンコネクタプラグの１つの所定の位置においてのみ前記マルチピンコネクタソケットと結合することを可能にするように非対称の機械的設計を持つ、
請求項１又は３に記載のマルチピンコネクタプラグ。
【請求項８】
所定の機能を実行する機能ユニットと、
請求項１又は３に記載のマルチピンコネクタプラグであって、前記プラグインタフェースが、前記機能ユニットからの信号の入力及び／又は前記機能ユニットに対する信号の出力のために前記機能ユニットと接続され、前記信号が１以上の電源信号を含む、前記マルチピンコネクタプラグと、
を有するウェアラブル装置。
【請求項９】
前記機能ユニットが、１以上のセンサ信号を感知する１以上のセンサを有し、前記マルチピンコネクタプラグが、前記１以上のセンサにより感知された前記センサ信号の出力及び前記機能ユニットの電源に対する前記1以上の電源信号の入力のために構成される、
請求項８に記載のウェアラブル装置。
【請求項１０】
前記機能ユニットが、前記キャリアプレートに配置される、
請求項９に記載のウェアラブル装置。
【請求項１１】
結合方向に沿ってマルチピンコネクタプラグと結合するマルチピンコネクタソケットにおいて、前記マルチピンコネクタソケットが、
前記マルチピンコネクタプラグの挿入のためのプラグ開口を持つソケットケーシングと、
前記プラグ開口の片側に配置された接続プレートと、
結合要素からの信号の入力及び／又は前記結合要素に対する信号の出力のためのソケットインタフェースであって、前記信号が1以上の電源信号を含む、前記ソケットインタフェースと、
前記マルチピンコネクタプラグからの信号の入力及び／又は前記マルチピンコネクタプラグに対する信号の出力のために前記接続プレートの接続パッド領域において二次元に分散された形で配置された複数のソケット接続パッドと、
を有し、
前記ソケット接続パッドが、前記マルチピンコネクタプラグの対応するプラグ電源接続パッドからの前記1以上の電源信号の入力及び／又は前記対応するプラグ電源接続パッドに対する前記１以上の電源信号の出力のために１以上のソケット電源接続パッドを含み、
前記１以上のソケット電源接続パッドが、前記プラグ開口の後端面、又は前記ソケット接続パッドの中で前記プラグ開口の前方入口から最短距離、又は他のソケット接続パッドが配置されない前記結合方向に平行な１以上の行のいずれかにおいて配置される、
マルチピンコネクタソケット。
【請求項１２】
前記ソケット接続パッドが、短絡された少なくとも２つのソケット結合パッドを含み、前記マルチピンコネクタソケットが前記マルチピンコネクタプラグと完全に結合される場合に前記マルチピンコネクタプラグの少なくとも２つの対応するプラグ結合パッドを短絡するように構成され、前記少なくとも２つのソケット結合パッドが前記少なくとも２つの対応するプラグ結合パッドを短絡する場合にのみ、電流が、前記１以上のソケット電源接続パッド及び前記プラグ電源接続パッドを流れることができる、
請求項１１に記載のマルチピンコネクタソケット。
【請求項１３】
結合方向に沿ってマルチピンコネクタプラグと結合するマルチピンコネクタソケットにおいて、前記マルチピンコネクタソケットが、
前記マルチピンコネクタプラグの挿入のためのプラグ開口を持つソケットケーシングと、
前記プラグ開口の片側に配置された接続プレートと、
結合要素からの信号の入力及び／又は前記結合要素に対する信号の出力のためのソケットインタフェースであって、前記信号が1以上の電源信号を含む、前記ソケットインタフェースと、
前記マルチピンコネクタプラグからの信号の入力及び／又は前記マルチピンコネクタプラグに対する信号の出力のために前記接続プレートの接続パッド領域において二次元に分散された形で配置された複数のソケット接続パッドと、
を有し、
前記ソケット接続パッドが、前記マルチピンコネクタプラグの対応するプラグ電源接続パッドからの前記１以上の電源信号の入力及び／又は前記対応するプラグ電源接続パッドに対する前記１以上の電源信号の出力のために１以上のソケット電源接続パッドを含み、
前記ソケット接続パッドが、短絡された少なくとも２つのソケット結合パッドを含み、前記マルチピンコネクタソケットが前記マルチピンコネクタプラグと正確に結合される場合に前記マルチピンコネクタプラグの少なくとも２つの対応するプラグ結合パッドを短絡するように構成され、前記少なくとも２つのソケット結合パッドが前記少なくとも２つの対応するプラグ結合パッドを短絡する場合にのみ、電流が、前記１以上のソケット電源接続パッド及び前記プラグ電源接続パッドを流れることができる、
マルチピンコネクタソケット。
【請求項１４】
前記マルチピンコネクタソケットが、前記接続プレートの反対の前記プラグ開口の側に配置された他の接続プレートを有し、複数のソケット接続パッドが、前記他の接続プレートの接続パッド領域において二次元に分散された形で配置される、
請求項１１又は１３に記載のマルチピンコネクタソケット。
【請求項１５】
結合要素、特にケーブル及び／又は電源ユニット及び／又は信号処理ユニット及び／又は無線信号インタフェースと、
請求項１１又は１３に記載のマルチピンコネクタソケットであって、前記マルチピンコネクタソケットのソケットインタフェースが、前記結合要素からの信号の入力及び／又は前記結合要素に対する信号の出力のために前記結合要素と接続され、前記信号が１以上の電源信号を含む、前記マルチピンコネクタソケットと、
を有するマルチピンコネクタソケット構成。
【発明の詳細な説明】
【技術分野】
【０００１】
本発明は、結合方向に沿ってマルチピンコネクタソケットと結合するマルチピンコネクタプラグ及び結合方向に沿ってマルチピンコネクタプラグと結合するマルチピンコネクタソケットに関する。本発明は、更に、センサ又はウェアラブルのようなウェアラブル装置に関する。
【背景技術】
【０００２】
多くの臨床センサは、利便性のために平坦であり、衛生的な理由で使用後に処理される。例えばマルチリードＥＣＧ又は受動的な中核体温に対するこれらのセンサは、平坦であり、その上、安価であるマルチピンコネクタを有する必要がある。既存のマルチピンコネクタは、しかしながら、かさばり、高価である。このようなコネクタは、ディスポーザブルセンサに適しておらず、臨床診療においてセンサに対して適用するのに不便である。
【０００３】
ＥＰ２５９０２７３Ａ２は、第１及び第２の主要な反対の側部を持つコネクタタブ並びに前記コネクタタブにより運ばれる複数の電気接点を持つ二方向コネクタを開示している。前記複数の接点は、第１の主要な側部に形成された外部接点の第１のセット及び第２の主要な側部に形成された外部接点の第２のセットを含む。第１の複数の接点における各個別の接点は、第２の複数の接点における対応する接点に対して前記タブ又は身体内で電気的に接続される。第１の複数の接点は、第２の複数の接点と対称的に離間され、前記コネクタタブは、１８０度対称性を持つように成形され、２つの挿入方向のいずれかで挿入され、対応するレセプタクルコネクタに動作可能に結合されることができる。
【発明の概要】
【発明が解決しようとする課題】
【０００４】
本発明の目的は、かさばらず、高価ではなく、したがってディスポーザブルセンサとともに使用するのに、及び臨床診療における応用に対して適しているマルチピンコネクタプラグ及びマルチピンコネクタソケットを提供することである。更に、電気的安全性が、前記マルチピンコネクタプラグ及び前記マルチピンコネクタソケットにより保証されるべきである。
【課題を解決するための手段】
【０００５】
本発明の第１の態様において、結合方向に沿ってマルチピンコネクタソケットと結合するマルチピンコネクタプラグが、提示され、前記マルチピンコネクタプラグは、
‐キャリアプレート（carrier plate）と、
‐結合装置からの信号の入力及び／又は前記結合装置に対する信号の出力のために前記キャリアプレートのインタフェース領域に配置されたプラグインタフェースであって、前記信号が、１以上の電源信号を含む、前記プラグインタフェースと、
‐前記マルチピンコネクタソケットからの信号の入力及び／又は前記マルチピンコネクタソケットに対する信号の出力のための前記キャリアプレートの接続パッド領域において二次元に分散された形で配置された複数のプラグ接続パッドと、
を有し、前記プラグ接続パッドが、前記マルチピンコネクタソケットの対応するソケット電源接続パッドからの前記１以上の電源信号の入力及び／又は前記対応するソケット電源接続パッドに対する前記１以上の電源信号の出力のために１以上のプラグ電源接続パッドを含み、
前記１以上のプラグ電源接続パッドが、前記キャリアプレートの前記接続パッド領域の前面、又は前記プラグ接続パッドの中で前記キャリアプレートの前記接続パッド領域の前面から最大距離、又は他のプラグ接続パッドが配置されない前記結合方向に平行な１以上の行のいずれかにおいて配置される。
【０００６】
本発明の第２の態様において、結合方向に沿ってマルチピンコネクタソケットと結合するマルチピンコネクタプラグが、提示され、前記マルチピンコネクタプラグは、
‐キャリアプレートと、
‐結合装置からの信号の入力及び／又は前記結合装置に対する信号の出力のために前記キャリアプレートのインタフェース領域に配置されたプラグインタフェースであって、前記信号が、１以上の電源信号を含む、前記プラグインタフェースと、
‐前記マルチピンコネクタソケットからの信号の入力及び／又は前記マルチピンコネクタソケットに対する信号の出力のために前記キャリアプレートの接続パッド領域において二次元に分散された形で配置された複数のプラグ接続パッドと、
を有し、前記プラグ接続パッドが、前記マルチピンコネクタソケットの対応するソケット電源接続パッドからの前記１以上の電源信号の入力及び／又は前記対応するソケット電源接続パッドからの前記１以上の電源信号の出力のために1以上のプラグ電源接続パッドを含み、
前記プラグ接続パッドは、短絡された少なくとも２つのプラグ結合パッドを含み、前記マルチピンコネクタプラグが前記マルチピンコネクタソケットと正確に結合される場合に前記マルチピンコネクタソケットの少なくとも２つの対応するソケット結合パッドを短絡するように構成され、前記少なくとも２つのプラグ結合パッドが前記少なくとも２つの対応するソケット結合パッドを短絡する場合にのみ、電流が、前記１以上のプラグ電源接続パッド及び前記ソケット電源接続パッドを流れることができる。
【０００７】
本発明の第３の態様において、結合方向に沿ってマルチピンコネクタプラグと結合するマルチピンコネクタソケットが、提示され、前記マルチピンコネクタソケットは、
‐前記マルチピンコネクタプラグの挿入のためのプラグ開口を持つソケットケーシングと、
‐前記プラグ開口の片側に配置された接続プレートと、
‐結合要素からの信号の入力及び／又は前記結合要素に対する信号の出力のためのソケットインタフェースであって、前記信号が１以上の電源信号を含む、前記ソケットインタフェースと、
‐前記マルチピンコネクタプラグからの信号の入力及び／又は前記マルチピンコネクタプラグに対する信号の出力のために前記接続プレートの接続パッド領域において二次元に分散された形で配置された複数のソケット接続パッドと、
を有し、前記ソケット接続パッドが、前記マルチピンコネクタプラグの対応するプラグ電源接続パッドからの前記１以上の電源信号の入力及び／又は前記対応するプラグ電源接続パッドに対する１以上のソケット電源接続パッドを含み、
前記１以上のソケット電源接続パッドが、前記プラグ開口の後端面、又は前記ソケット接続パッドの中で前記プラグ開口の前方入口からの最短距離、又は他のソケット接続パッドが配置されない前記結合方向に平行な１以上の行のいずれかにおいて配置される。
【０００８】
本発明の第４の態様において、結合方向に沿ってマルチピンコネクタプラグと結合するマルチピンコネクタソケットが、提示され、前記マルチピンコネクタソケットは、
‐前記マルチピンコネクタプラグの挿入のためのプラグ開口を持つソケットケーシングと、
‐前記プラグ開口の片側に配置された接続プレートと、
‐結合要素からの信号の入力及び／又は前記結合要素に対する信号の出力のためのソケットインタフェースであって、前記信号が１以上の電源信号を含む、前記ソケットインタフェースと、
‐前記マルチピンコネクタプラグからの信号の入力及び／又は前記マルチピンコネクタプラグに対する信号の出力のために前記接続プレートの接続パッド領域において二次元に分散された形で配置された複数のソケット接続パッドと、
を有し、前記ソケット接続パッドが、前記マルチピンコネクタプラグの対応するプラグ電源接続パッドからの前記１以上の電源信号の入力及び／又は前記対応するプラグ電源接続パッドに対する前記１以上の電源信号の出力のために１以上のソケット電源接続パッドを含み、
前記ソケット接続パッドは、短絡された少なくとも２つのソケット結合パッドを含み、前記マルチピンコネクタソケットが前記マルチピンコネクタプラグと正確に結合される場合に前記マルチピンコネクタプラグの少なくとも２つの対応するプラグ結合パッドを短絡するように構成され、前記少なくとも２つのソケット結合パッドが前記少なくとも２つの対応するプラグ結合パッドを短絡する場合にのみ、電流が、前記１以上のソケット電源接続パッド及び前記プラグ電源接続パッドを流れることができる。
【０００９】
第５の態様において、ウェアラブル装置が、提示され、前記ウェアラブル装置は、
‐所定の機能を実行する機能ユニットと、
‐前記機能ユニットからの信号の入力及び／又は前記機能ユニットに対する信号の出力のために前記機能ユニットと接続されたプラグインタフェースを持つ、ここに開示されたマルチピンコネクタプラグであって、前記信号が１以上の電源信号を含む、前記マルチピンコネクタプラグと、
を有する。
【００１０】
第６の態様において、
‐結合要素、特にケーブル及び／又は電源ユニット及び／又は信号処理ユニット及び／又は無線信号インタフェースと、
‐結合要素からの信号の入力及び／又は前記結合要素に対する信号の出力のために、前記結合要素と接続されたソケットインタフェースを有する、ここに開示されたマルチピンコネクタソケットであって、前記信号が１以上の電源信号を含む、前記マルチピンコネクタソケットと、
を有する。
【００１１】
本発明のアイデアの１つは、前記接続パッドを互いの隣だけでなく、互いの後に、すなわち二次元に分散された形で配置することにより、及び／又は前記コネクタプラグの両側に前記接続パッドを配置することにより空間を節約することである。
【００１２】
他のアイデアは、前記コネクタソケットへの／からの前記コネクタプラグの挿入及び引き出し中に短絡を防ぐように前記コネクタプラグ及び／又は前記コネクタソケットにおける１以上の電源接続パッドの配置に関する。
【００１３】
更に他のアイデアは、短絡される少なくとも２つのプラグ結合パッドの使用に関し、前記マルチピンコネクタプラグが前記マルチピンコネクタソケットと正確に結合される場合に、少なくとも２つの対応するソケット結合パッドを短絡するように構成される。これは、前記少なくとも２つのプラグ結合パッドが前記少なくとも２つの対応するソケット結合パッドを短絡する場合のみ電流が前記１以上のプラグ電源接続パッド及び前記ソケット電源接続パッドを流れることができることを定める。したがって、このようにして、前記コネクタソケットへの／からの前記コネクタプラグの挿入及び引き出し中に短絡も防がれる。
【００１４】
前記マルチピンコネクタプラグの一実施例によると、前記プラグ接続パッドは、前記キャリアプレートの反対の面に配置される。したがって、より多くのピンが、設けられることができる。更に、前記プラグは、２つの異なる向きで前記ソケット内に挿入されうる。
【００１５】
実際的な実施例において、前記キャリアプレートは、可撓性材料、特に可撓性ホイルで作成される。
【００１６】
製造は、前記プラグ接続パッドが前記キャリアプレートの反対の面に配置されるように前記キャリアプレートの部分が１８０°折り返されるようにすることにより、より容易にされることができる。
【００１７】
前記マルチピンコネクタプラグは、前記マルチピンコネクタプラグの１つの所定の位置においてのみ前記マルチピンコネクタソケットと結合することを可能にするように非対称の機械的設計を持ってもよい。
【００１８】
前記ウェアラブル装置は、前記マルチピンコネクタプラグに加えて所定の機能を実行する機能ユニットを有し、前記マルチピンコネクタプラグのプラグインタフェースは、前記機能ユニットからの信号の入力及び／又は前記機能ユニットに対する信号の出力のために前記機能ユニットと接続され、前記信号は、１以上の電源信号を含む。
【００１９】
好ましくは、前記機能ユニットは、１以上のセンサ信号を感知する１以上のセンサを有する。これにより、前記マルチピンコネクタプラグは、前記１以上のセンサにより感知された前記センサ信号の出力及び前記機能ユニットの電源に対する前記１以上の電源信号の入力のために構成される。
【００２０】
実際的な実施例において、前記機能ユニットは、前記キャリアプレートに配置される。
【００２１】
本発明のこれら及び他の態様は、以下に記載される実施例を参照して説明され、明らかになる。
【図面の簡単な説明】
【００２２】
【図１Ａ】本発明によるマルチピンコネクタプラグ及びソケットの第１の実施例を示す。
【図１Ｂ】本発明によるマルチピンコネクタプラグ及びソケットの第１の実施例を示す。
【図１Ｃ】本発明によるマルチピンコネクタプラグ及びソケットの第１の実施例を示す。
【図１Ｄ】本発明によるマルチピンコネクタプラグ及びソケットの第１の実施例を示す。
【図２Ａ】本発明によるマルチピンコネクタプラグ及びソケットの第２の実施例を示す。
【図２Ｂ】本発明によるマルチピンコネクタプラグ及びソケットの第２の実施例を示す。
【図２Ｃ】本発明によるマルチピンコネクタプラグ及びソケットの第２の実施例を示す。
【図２Ｄ】本発明によるマルチピンコネクタプラグ及びソケットの第２の実施例を示す。
【図３Ａ】本発明によるマルチピンコネクタプラグ及びソケットの第３の実施例を示す。
【図３Ｂ】本発明によるマルチピンコネクタプラグ及びソケットの第３の実施例を示す。
【図３Ｃ】本発明によるマルチピンコネクタプラグ及びソケットの第３の実施例を示す。
【図３Ｄ】本発明によるマルチピンコネクタプラグ及びソケットの第３の実施例を示す。
【図４Ａ】本発明によるマルチピンコネクタプラグ及びソケットの第４の実施例を示す。
【図４Ｂ】本発明によるマルチピンコネクタプラグ及びソケットの第４の実施例を示す。
【図５Ａ】本発明によるマルチピンコネクタプラグ及びソケットの第５の実施例を示す。
【図５Ｂ】本発明によるマルチピンコネクタプラグ及びソケットの第５の実施例を示す。
【図５Ｃ】本発明によるマルチピンコネクタプラグ及びソケットの第５の実施例を示す。
【図５Ｄ】本発明によるマルチピンコネクタプラグ及びソケットの第５の実施例を示す。
【図５Ｅ】本発明によるマルチピンコネクタプラグ及びソケットの第５の実施例を示す。
【図６Ａ】本発明によるマルチピンコネクタプラグ及びソケットの第６の実施例を示す。
【図６Ｂ】本発明によるマルチピンコネクタプラグ及びソケットの第６の実施例を示す。
【図６Ｃ】本発明によるマルチピンコネクタプラグ及びソケットの第６の実施例を示す。
【図６Ｄ】本発明によるマルチピンコネクタプラグ及びソケットの第６の実施例を示す。
【図７Ａ】本発明によるマルチピンコネクタプラグ及びソケットの第７の実施例を示す。
【図７Ｂ】本発明によるマルチピンコネクタプラグ及びソケットの第７の実施例を示す。
【図８Ａ】本発明によるマルチピンコネクタプラグ及びソケットの第８の実施例を示す。
【図８Ｂ】本発明によるマルチピンコネクタプラグ及びソケットの第８の実施例を示す。
【図８Ｃ】本発明によるマルチピンコネクタプラグ及びソケットの第８の実施例を示す。
【図８Ｄ】本発明によるマルチピンコネクタプラグ及びソケットの第８の実施例を示す。
【図９Ａ】本発明によるマルチピンソケット構成及びウェアラブル装置の一実施例を示す。
【図９Ｂ】本発明によるマルチピンソケット構成及びウェアラブル装置の一実施例を示す。
【図９Ｃ】本発明によるマルチピンソケット構成及びウェアラブル装置の一実施例を示す。
【図９Ｄ】本発明によるマルチピンソケット構成及びウェアラブル装置の一実施例を示す。
【図１０Ａ】本発明によるマルチピンコネクタプラグ及びソケットの第９の実施例を示す。
【図１０Ｂ】本発明によるマルチピンコネクタプラグ及びソケットの第９の実施例を示す。
【図１０Ｃ】本発明によるマルチピンコネクタプラグ及びソケットの第９の実施例を示す。
【発明を実施するための形態】
【００２３】
図１は、結合方向３０に沿って一緒に結合されることができる、本発明によるマルチピンコネクタプラグ１０及びソケット２０の第１の実施例を示す。これにより、図１Ａは、プラグ１０の側面図を示し、図１Ｂは、ソケット２０の側面図を示し、図１Ｃは、プラグ１０の上面図を示し、図１Ｄは、ソケット２０の上面図を示す。
【００２４】
マルチピンコネクタプラグ１０は、キャリアプレート１、例えばＰＣＢ又は可撓性材料、可撓性ホイルを有する。マルチピンコネクタプラグ１０は、結合装置、例えば（例えば心拍、身体運動、中核体温等を監視する）バイタルサインセンサのようなセンサからの信号の入力及び／又は前記結合装置からの信号の出力のためにキャリアプレート１のインタフェース領域３に配置されたプラグインタフェース２を更に有する。前記信号は、特にプラグ１０を介してソケット２０から供給される前記結合装置の電源に対する、１以上の電源信号を含む。
【００２５】
マルチピンコネクタプラグ１０は、ソケット２０からの信号の入力及び／又はソケット２０に対する信号の出力のためにキャリアプレート１の接続パッド領域５に二次元に分散された形で配置された複数のプラグ接続パッド４を更に有する。前記プラグ接続パッド４は、ソケット２０の対応するソケット電源接続パッド５４１からの２つの電源信号（例えばＤＣ及びグラウンド又は＋ＤＣ及び−ＤＣ信号）の入力及び／又は対応するソケット電源接続パッド５４１に対する２つの電源信号の出力のために１以上（描かれた実施例において２つ）のプラグ電源接続パッド４１を含む。図１に示されるプラグ１０の実施例において、２つのプラグ電源接続パッド４１は、プラグ接続パッド４の中でキャリアプレート１の接続パッド領域５からの最大距離に配置され、すなわちプラグ接続パッド４の他のものは、２つのプラグ電源接続パッド４１より前記前面から離れている。
【００２６】
マルチピンコネクタソケット２０は、プラグ１０の挿入のためのプラグ開口５３を持つソケットケーシング５０を有する。マルチピンコネクタソケット２０は、前記プラグ開口５３の片側に配置された接続プレート５１を更に有し、前記プレートは、プラグ開口５３の内面に取り付けられてもよく、又は（例えばプラグ開口５３の内面により表される又は同じ材料の）前記ソケットケーシングの一体部分であってもよい。マルチピンコネクタソケット２０は、結合要素４１、例えば電源ユニット（例えばバッテリ）又は外部エンティティ（例えば測定モジュール又は処理モジュール又は患者モニタ）に対するケーブルからの信号の入力及び／又は結合要素４１に対する信号の出力のためにソケットインタフェース５２を更に有し、前記信号は、一般に、１以上の電源信号を含む。
【００２７】
マルチピンコネクタソケット２０は、プラグ１０からの信号の入力及び／又はプラグ１０に対する信号の出力のために接続プレート５１の接続パッド領域５５において二次元に分散された形で配置された複数のソケット接続パッド５４を更に有する。ソケット接続パッド５４は、これにより、プラグ１０の対応するプラグ電源接続パッド４１からの前記１以上（本実施例において２つ）の電源信号の入力及び／又は対応するプラグ電源接続パッド４１に対する前記１以上の電源信号の出力のために１以上のソケット電源接続パッド５４１を含む。図１に示されるソケット２０の実施例において、２つのソケット電源接続パッド５４１が、ソケット接続パッド５４の中で前記プラグ開口５３の前方入口５３'から最短距離にあり、すなわちソケット接続パッド５４の他のものが、２つのソケット電源接続パッド５４１より前方入口５３'の近くにはない。
【００２８】
図２は、本発明によるマルチピンコネクタプラグ１１及びソケット２１の第２の代替的な実施例を示す。マルチピンコネクタプラグ１１において、２つのプラグ電源接続パッド４１は、前記キャリアプレートの接続パッド領域５の前面６に配置される。マルチピンコネクタソケット２１において、２つのソケット電源接続パッド５４１が、プラグ開口５３の後端面５６に配置される。
【００２９】
図３は、本発明によるマルチピンコネクタプラグ１２及びソケット２２の第３の代替的な実施例を示す。マルチピンコネクタプラグ１２において、２つのプラグ電源接続パッド４１が、他のプラグ接続パッド４が配置されない前記結合方向３０に平行な１以上の行７に配置される。マルチピンコネクタソケット２２において、２つのソケット電源接続パッド５４１が、他のソケット接続パッド５４が配置されない前記結合方向３０に平行な１以上の行５７に配置される。
【００３０】
図１乃至３に示される構成において、前記ソケット内への前記プラグの挿入中の及び前記ソケットからの前記プラグの引き出し中の、プラグ電源接続パッド４１といずれかのソケット接続パッド５４との間の、及びソケット電源接続パッド５４１といずれかのプラグ接続パッド４との間の短絡は、効果的に防がれる。
【００３１】
図４は、本発明によるマルチピンコネクタプラグ１３及びソケット２３の第４の実施例を示す。本実施例において、マルチピンコネクタプラグ１３において、プラグ接続パッド４は、前記キャリアプレート１の反対の面１Ａ、１Ｂに配置される。２つのプラグ電源接続パッド４１は、図１に示されるように、プラグ接続パッド４の中でキャリアプレート１の接続パッド領域５の前面６から最大距離に配置される。マルチピンコネクタソケット２３は、接続プレート１Ａに向かい合う前記プラグ開口５３の片側に配置された他の接続プレート１Ｂを有し、複数のソケット接続パッド５４が、前記他の接続プレート１Ｂの接続パッド領域５において二次元に分散された形で配置される。
【００３２】
図５は、本発明によるマルチピンコネクタプラグ１４及びソケット２４の第５の実施例を示す。本実施例において、２つのプラグ電源接続パッド４１及び２つのソケット電源接続パッド５４１は、図１に示されるように配置されるが、異なって配置されることもでき、プラグ電源接続パッド４１及びソケット電源接続パッド５４１の数も、異なることができる。プラグ接続パッド４は、少なくとも２つのプラグ結合パッド４２、本実施例においては２対の２つのプラグ結合パッド４２を含み、前記少なくとも２つのプラグ結合パッド４２は、例えば、ガルバニック接続４３の使用により、短絡され、マルチピンコネクタプラグ１４がマルチピンコネクタソケット２４と正確に結合される場合に前記マルチピンコネクタソケットの少なくとも２つの対応するソケット結合パッド５４２、本実施例においては２対の２つのソケット結合パッド５４２を短絡するように構成される。電流は、プラグ結合パッド４２が対応するソケット結合パッド５４１を短絡する場合にのみ、プラグ電源接続パッド４１及びソケット電源接続パッド５４１を流れることができる。特に、マルチピンコネクタプラグ１４が、図５Ｅに示されるように、マルチピンコネクタソケット２４と正確に結合される場合にマルチピンコネクタソケット２４により提供される電流は、２つのガルバニック接続４３及び５４３を通ってソケット電源接続パッド５４１まで流れ、マルチピンコネクタプラグ１４により使用されることができるように前記電流をプラグ電源接続パッド４１に伝達する。
【００３３】
図６は、第５の実施例に極めて類似している、本発明によるマルチピンコネクタプラグ１５及びソケット２５の第６の実施例を示す。本実施例において、様々なパッドの位置が変更されるが、結合パッド４２、５４２及びガルバニック接続４３、５４３を使用する概念は、一般的に同じであり、マルチピンコネクタプラグ１５がマルチピンコネクタソケット２５と正確に結合される場合にのみ電流が流れることができることを確実にする。
【００３４】
明らかに、図４Ａに示されるように前記プラグの上部及び底部に接続パッドを持つことは、単一の側のプラグより幾分安価ではない。このようなプラグを構築することは、標準的な方法で製造された多層ＰＣＢ／フレックスホイル（flex foil）を使用することを含む。多層コストは、しかしながら、単一層フレックスホイルをひっくり返すことにより更に減少されることができる。図７は、このアプローチを使用する本発明によるマルチピンコネクタプラグ１６の第７の実施例を示す。本実施例において、キャリアプレート１は、可撓性材料、特に可撓性ホイルで作成される。キャリアプレート１の前部１Ｃは、後部１Ｄに対して１８０°折り返され、プラグ接続パッド４が、前記キャリアプレート１の反対の面１Ｅ、１Ｆに配置される。このようにして、両側マルチピンコネクタプラグ１６が、容易に製造されることができる。
【００３５】
図８は、本発明によるマルチピンコネクタプラグ１７及びソケット２７の第８の実施例を示す。本実施例において、マルチピンコネクタプラグ１７は、前記マルチピンコネクタプラグ１７の１つの所定の位置においてのみ前記マルチピンコネクタソケット２７と結合することを可能にするように非対称の機械的設計を持つ。例えば、マルチピンコネクタプラグ１７の片側において、マルチピンコネクタソケット２７の開口５３の片側における凸部又はバー５８に対応するバー又は凸部８が、設けられ、マルチピンコネクタプラグ１７が、マルチピンコネクタプラグ１７の１つの所定の位置においてのみマルチピンコネクタソケット２７内に挿入されることができる。これは、誤った挿入、したがってプラグ１７とソケット２７との間で交換される信号の誤った解釈を防ぐ。
【００３６】
図９は、本発明によるウェアラブル装置１００及びマルチピンソケット構成２００の一実施例を示す。ウェアラブル装置１００は、所定の機能を実行する機能ユニット１０１及びここに開示されたマルチピンコネクタプラグを有し、前記マルチピンコネクタプラグのプラグインタフェース２は、前記機能ユニット１０１からの信号の入力及び／又は前記機能ユニットに対する信号の出力のために前記機能ユニット１０１と接続され、前記信号は、１以上の電源信号を含む。機能ユニット１０１は、１以上のセンサ信号を感知する１以上のセンサ１０２を有してもよく、前記マルチピンコネクタプラグは、この場合、前記１以上のセンサにより感知された前記センサ信号の出力及び前記機能ユニット１０１の電源に対する前記１以上の電源信号の入力のために構成されてもよい。好ましくは、機能ユニット１０１は、前記キャリアプレート１に配置される。
【００３７】
マルチピンコネクタソケット構成２００は、ケーブル及び／又は電源ユニット及び／又は信号処理ユニット及び／又は無線信号インタフェースのような結合要素２０１と、ここに開示されたマルチピンコネクタソケット２３とを有し、マルチピンコネクタソケット２３のソケットインタフェース５２は、結合要素２０１からの信号の入力及び／又は前記結合要素に対する信号の出力のために前記結合要素２０１と結合され、前記信号は、１以上の電源信号を含む。
【００３８】
図１０は、図５及び６に示される第５及び第６の実施例と類似している、本発明によるマルチピンコネクタプラグ１８及びソケット２８の第９の実施例を示す。マルチピンコネクタプラグ１８は、１行のプラグ接続パッド４のみを考慮する場合、２つのプラグ電源接続パッド４１と、例えばガルバニック接続４３の使用により、短絡される２つのプラグ結合パッド４２とを有する。マルチピンコネクタソケット２８は、２つのソケット電源接続パッド５４１及び２つのソケット結合パッド５４２を有する。２つのソケット電源接続パッド５４１及び２つのソケット結合パッド５４２は、例えばインタフェース５２から電源を受ける電力管理ユニット５９に別々に接続される。電源管理ユニット５９は、これにより、２つのソケット結合パッド５４２が短絡される場合にのみ、電力が、２つのプラグ電源接続パッド４１に、及びこれらから２つのプラグ電源接続パッド４１に供給されるように構成される。これは、プラグ１８が前記ソケット内に完全に挿入され、その位置において、２つのソケット結合パッド５４２が２つのプラグ結合パッド４２及びガルバニック接続４３を介して短絡される場合のみである。このようにして、プラグ１８は、ソケット２８内に完全に挿入されない限り、電力なしであることが、保証される。
【００３９】
典型的な実施例２４において、接続は、例えばセンサを測定モジュール又は患者モニタに接続する、所望の応用に対して前記マルチピンコネクタプラグ及びソケットにおいて提供される。２４ピンコネクタプラグは、したがって、例えばコネクタパッドの６×４のグリッドを持つ、一方又は両方（反対）の平坦な面上に（例えば銅の）プリントされたプラグ接続パッドを持つフラットコネクタとして実装されてもよい。
【００４０】
要約すると、前記コネクタプラグ及びソケットの提案された実施例は、前記接続パッドと前記接続との間の良好なアライメントを示すのみならず、良好な電気的接触をも示す。適切な機能を可能にするために、特別な方策が、上で説明されたように取られうる。特に、挿入中の短絡を防ぐために、特に図１乃至３に示されるように、一度前記プラグが前記ソケット内に完全に挿入されると、電流が（例えばセンサを起動するように）流れることができるように、異なる種類のレイアウトが、開示されている。前記センサ内への前記プラグの誤った挿入を防ぐために、前記プラグ及びソケットの非対称な設計が、適用されてもよい。加えて、前記プラグは、前記プラグを手動で固定するために「スナップ又はワニ口」接続のように設計されることができる。このようにして、前記プラグ（すなわちディスポーザブル部分）を含む完全なウェアラブル装置又は前記プラグは、物理的コネクタなしで使用されることができ、したがって、非常に安価である。例えばケーブルに接続される非ディスポーザブル部分（すなわちソケット）は、非常に小さく（例えば２７ｍｍ×１３ｍｍ×１０ｍｍ、２４接続）、その上安価であることができる。
【００４１】
本発明は、一般に、マルチリードＥＣＧセンサ、マルチリードＥＥＧセンサ、中核体温センサ等のような、小さい低コストのコネクタ及び低コストのセンサが必要とされるいかなる状況にも適用されることができる。
【００４２】
本発明は、図面及び先行する記載において詳細に図示及び記載されているが、このような図示及び記載は、限定的ではなく、説明用又は典型的であると見なされるべきであり、本発明は、開示された実施例に限定されない。開示された実施例の他の変形例は、図面、開示及び添付の請求項の検討から、請求された発明を実施する当業者により理解及び達成されることができる。
【００４３】
請求項において、単語「有する」は、他の要素又はステップを除外せず、不定冠詞「ａ」又は「ａｎ」は、複数を除外しない。単一の要素又は他のユニットが、請求項に記載された複数のアイテムの機能を満たしてもよい。特定の方策が相互に異なる従属請求項に記載されているという単なる事実は、これらの方策の組み合わせが有利に使用されることができないことを示さない。
【００４４】
請求項内のいかなる参照符号も、範囲を限定するように解釈されるべきではない。
【図１Ａ−１Ｂ】
2019515420.tif 000003
【図１Ｃ−１Ｄ】
2019515420.tif 000004
【図２Ａ−２Ｂ】
2019515420.tif 000005
【図２Ｃ−２Ｄ】
2019515420.tif 000006
【図３Ａ−３Ｂ】
2019515420.tif 000007
【図３Ｃ−３Ｄ】
2019515420.tif 000008
【図４Ａ−４Ｂ】
2019515420.tif 000009
【図５Ａ−５Ｂ】
2019515420.tif 000010
【図５Ｃ−５Ｄ】
2019515420.tif 000011
【図５Ｅ】
2019515420.tif 000012
【図６Ａ−６Ｂ】
2019515420.tif 000013
【図６Ｃ−６Ｄ】
2019515420.tif 000014
【図７Ａ】
2019515420.tif 000015
【図７Ｂ】
2019515420.tif 000016
【図８Ａ−８Ｂ】
2019515420.tif 000017
【図８Ｃ−８Ｄ】
2019515420.tif 000018
【図９Ａ】
2019515420.tif 000019
【図９Ｂ】
2019515420.tif 000020
【図９Ｃ】
2019515420.tif 000021
【図９Ｄ】
2019515420.tif 000022
【図１０Ａ−１０Ｂ】
2019515420.tif 000023
【図１０Ｃ】
2019515420.tif 000024
【国際調査報告】
2019515420.tif 000025
2019515420.tif 000026
2019515420.tif 000027
2019515420.tif 000028